(57)【要約】【課題】部品点数を削減すると共に、内部空間に余裕を持たせることができる調理器を提供することを課題とする。【解決手段】調理物を入れる調理鍋１５と、調理鍋１５を収容すると共に、電源コード１４を介して電力を供給される調理器本体１１と、調理器本体１１内に設置される回路基板７０と、電源コード１４を巻回するコードリール６１を収容するコードリール収容部４２と、コードリール収容部４２が一体に設けられた、回路基板７０を配設される基板ホルダ３６とを備えた。【選択図】図４
2014223139.tif 000002
【特許請求の範囲】
【請求項１】
調理物を入れる調理鍋と、
前記調理鍋を収容すると共に、電源コードを介して電力を供給される調理器本体と、
前記調理器本体内に設置される回路基板と、
前記電源コードを巻回するコードリールを収容するコードリール収容部と、
前記コードリール収容部が一体に設けられた、前記回路基板を配設される基板ホルダと、
を備えた、調理器。
【請求項２】
前記基板ホルダは、
中央に位置する基部と、
前記基部の両端に設けられ、横方向外側に向かって斜めに延びる一対の側面部と、
を備えた、請求項１に記載の調理器。
【請求項３】
前記コードリール収容部は、一方の前記側面部に設けられた、請求項２に記載の調理器。
【請求項４】
前記回路基板は、他方の前記側面部に配設された、請求項３に記載の調理器。
【請求項５】
前記回路基板は、一対の前記側面部の外側端部の間に位置するように前記基板ホルダに配設された、請求項２から４のいずれかに記載の調理器。
【請求項６】
前記回路基板は、商用電源を直流電圧に変換する電源回路用基板、または前記部品を制御する制御基板である、請求項１から５のいずれかに記載の調理器。
【請求項７】
前記基部に、前記調理器本体内部の部品を冷却するファンを配設した、請求項２から６のいずれかに記載の調理器。
【請求項８】
前記調理器本体に、ヒンジ軸を中心に開閉可能に配設され、前記調理鍋を閉蓋する蓋体と、
前記ヒンジ軸に対して前記調理鍋と反対側であって、前記調理器本体の底面に設けられた補助脚と、
を備えた請求項１から７のいずれかに記載の調理器。
【発明の詳細な説明】
【技術分野】
【０００１】
本発明は、回路基板を配設する基板ホルダを用いた調理器に関する。
【背景技術】
【０００２】
特許文献１には、内鍋への加熱量を調整する制御装置を有する制御基板と、制御基板を設置する基板ベースとを備えた炊飯器が記載されている。
【０００３】
しかし、この炊飯器では、電源コードを巻回するコードリールが基板ベースと別体に設けられているので、部品点数が増加する。また、基板ベースと別にコードリールを配設するスペースが炊飯器本体内に必要となる。
【先行技術文献】
【特許文献】
【０００４】
【特許文献１】特開２０１１−２１８０６９号公報
【発明の概要】
【発明が解決しようとする課題】
【０００５】
本発明は、部品点数を削減すると共に、調理器本体の内部空間に余裕を持たせることができる調理器を提供する。
【課題を解決するための手段】
【０００６】
調理物を入れる調理鍋と、
前記調理鍋を収容すると共に、電源コードを介して電力を供給される調理器本体と、
前記調理器本体内に設置される回路基板と、
前記電源コードを巻回するコードリールを収容するコードリール収容部と、
前記コードリール収容部が一体に設けられた、前記回路基板を配設される基板ホルダと、
を備えた。
【０００７】
基板ホルダにコードリール収容部を一体に設けることで、調理器を構成する部品点数を削減すると共に、調理器本体の内部空間に余裕を持たせることができる。
【０００８】
前記基板ホルダは、
中央に位置する基部と、
前記基部の両端に設けられ、横方向外側に向かって斜めに延びる側面部と、
を備えることが好ましい。
【０００９】
上記構成により、基板ホルダの基部を調理器本体の内側面に沿って配置したときに、側面部が調理器本体内部の他の部材と干渉するのを防止しつつ、基板ホルダにコードリール収容部および回路基板を配設する領域を確保できる。
【００１０】
例えば、前記コードリール収容部は、一方の前記側面部に設けることができる。
また、前記回路基板は、他方の前記側面部に配設することができる。
【００１１】
前記回路基板は、前記側面部の外側端部の間に位置するように前記基板ホルダに配設されることが好ましい。
【００１２】
上記構成により、基板ホルダと回路基板とを合わせた全体の体積（寸法）が大きくならず、調理器本体の内部空間に余裕を持たせることができる。また、回路基板と基部との間に所定の隙間を確保できるので、回路基板の放熱性を向上できる。
【００１３】
例えば、前記回路基板は、商用電源を直流電圧に変換する電源回路用基板、または前記部品を制御する制御基板である。
【００１４】
前記基部に、前記調理器本体内部の部品を冷却するファンを配設することが好ましい。
【００１５】
上記構成により、基板ホルダに回路基板、コードリール収容部に加えてファンを配設でき、より一層、調理器本体の内部空間に余裕を持たせることができる。
【００１６】
前記調理器本体に、ヒンジ軸を中心に開閉可能に配設され、前記調理鍋を閉蓋する蓋体と、
前記ヒンジ軸に対して前記調理鍋と反対側であって、前記調理器本体の底面に設けられた補助脚と、
を備えることが好ましい。
【００１７】
補助脚をヒンジ軸に対して前記調理鍋と反対側であって、前記調理器本体の底面に設けることで、蓋体を開放した際の衝撃で調理器がバウンドしたり、転倒するのを防止できる。
【発明の効果】
【００１８】
本発明によれば、部品点数を削減すると共に、調理器本体の内部空間に余裕を持たせることができる。
【図面の簡単な説明】
【００１９】
【図１】本発明の実施形態に係る炊飯器において蓋体が開放した状態を示す斜視図。
【図２】図１の炊飯器本体の分解斜視図。
【図３】炊飯器本体の側面図。
【図４】図２の基板ホルダとコードリール収容部との下方斜視図。
【図５】基板ホルダにコードリール収容部と回路基板とを配設した状態を示す底面図。
【図６】（Ａ）は回路基板の正面図、（Ｂ）は回路基板の側面図。
【発明を実施するための形態】
【００２０】
以下、本発明の実施形態を、炊飯器を例にして図面に従って説明する。
【００２１】
図１に示すように、炊飯器（調理器）１０は、炊飯器本体（調理器本体）１１と、後述するヒンジ軸２３を中心に回動し、炊飯器本体１１に開閉可能に取り付けられ、後述する内鍋（調理鍋）１５を閉蓋する蓋体１２とを備えている。炊飯器本体１１には、電源コード１４（図２参照）を介して商用電源から電力が供給される。
【００２２】
図２を併せて参照すると、炊飯器本体１１は、内鍋１５と、内鍋１５を収容する胴部１６と、胴部１６の上部に設けられる肩体２０と、胴部１６の底を閉じる底体２７と、肩体２０と底体２７との間に配設される基板ホルダ３６とを備えている。
【００２３】
内鍋１５は内部に、例えば、飯米および水などの調理物がセットされる公知の鍋である。内鍋１５の外周部には、内鍋１５を加熱する内鍋ヒータ１７が配設されている。胴部１６は、上端、下端および側面の一部が開放した筒状である。
【００２４】
肩体２０は円環状であり、その開口縁部で内鍋１５の上端のフランジ部を保持している。肩体２０の奥側には、蓋体１２を開閉可能に接続するヒンジ接続部２２が設けられている。ヒンジ接続部２２は上方に向かって延びている。ヒンジ接続部２２の両側には、ヒンジ軸２３を軸支するヒンジ孔２４が形成されている。以下、炊飯器１０のヒンジ接続部２２側（図２中、矢印Ａ方向）を奥側、ヒンジ接続部２２と反対側を手前側という。
【００２５】
底体２７は、胴部１６の下端に接続すると共に、胴部１６の奥側側面を閉じている。胴部１６と底体２７の奥側には、基板ホルダ３６を収容する基板ホルダ収容部２８が形成されている。
【００２６】
図２および図４に示すように、基板ホルダ３６は、中央に位置する基部３７と、基部３７の両端部に設けられ、手前側（矢印Ａと反対側）に向かって横方向外方に斜めに延びる一対の側面部４１，５１とを備えている。この構成により、基板ホルダ３６の基部３７を炊飯器本体１１の奥側内側面に沿って配置したときに、側面部４１，４２が炊飯器本体１１内部の他の部材と干渉するのを防止しつつ、基板ホルダ３６に、後述するコードリール収容部４２および回路基板７０を配設する領域を確保できる。基板ホルダ３６には複数のねじ孔３９が形成されている（図５参照）。基板ホルダ３６は、このねじ孔３９に挿通するねじ（図示せず）により肩体２０の裏面にねじ止めされる。
【００２７】
基部３７は側面部４１，５１を連結し、その長手方向中央部の下側には、奥側に向かって突出する中空のファン設置部３８が設けられている。ファン設置部３８には、炊飯器本体１１内の部品を冷却するファン（図示せず）が設置される。これにより、基板ホルダ３６に後述するコードリール収容部４２および回路基板７０に加えてファンを配設でき、より一層、炊飯器本体１１の内部空間に余裕を持たせることができる。
【００２８】
一方の側面部（第１側面部）４１には、コードリール６１を収容するコードリール収容部４２が形成されている。このように、基板ホルダ３６にコードリール収容部４２を一体に設けることで、炊飯器１０を構成する部品点数を削減すると共に、炊飯器本体１１の内部空間に余裕を持たせることができる。また、基板ホルダ３６の形状を有効に活用して、コードリール収容部４２を基板ホルダ３６に設けることができる。
【００２９】
コードリール６１は、内部で電源コード１４を巻回する、外周部に板状のリブ６２が形成された略円形である。コードリール収容部４２は正面視略半円形状である。また、コードリール収容部４２の下端は開口しており、内部にコードリール６１を挿入する空洞部４５が形成されている。コードリール収容部４２の奥側（矢印Ａ側）外周部の下端には、開口縁部から上方に延びる保持溝４７が形成されている。コードリール６１を空洞部４５に挿入すると、コードリール６１のリブ６２が保持溝４７内に挿入して挟み込まれ、コードリール６１はコードリール収容部４２内に保持される。
【００３０】
他方の側面部（第２側面部）５１は正面視略矩形の板状であり、その外側面５２には、後述する回路基板７０ａが配設される（図５参照）。また、第１側面部４１の外側端部４３と第２側面部５１の外側端部５３との間に位置するように、回路基板７０ｂが配設される。この構成により、基板ホルダ３６と回路基板７０とを合わせた全体の体積（寸法）が大きくならず、炊飯器本体１１の内部空間に余裕を持たせることができる。また、回路基板７０ｂと基部３７との間に所定の隙間を確保でき、更に、ファンにより回路基板７０ｂが冷却されるので、回路基板７０ｂの放熱性を向上できる。
【００３１】
回路基板７０は、商用電源からの電力を炊飯器本体１１内の部品に供給するために直流電圧に変換する電源回路用基板（図示せず）であってもよく、または部品を制御する制御基板７２であってもよい。部品は例えば、内鍋ヒータ１７である。
【００３２】
図６に示すように、制御基板７２ｂはヒートシンク７４と共に、ねじ孔７３に挿通するねじ（図示せず）を介して、基板ホルダ３６にねじ止めされる。なお、制御基板７２の基板ホルダ３６への固定は、ねじ止めに限定されず、基板ホルダ３６に係止爪（図示せず）を設け、この係止爪で制御基板７２の両面を挟み込んで保持してもよく、固定方法は限定されない。
【００３３】
図３に示すように、底体２７の底面３０には、下向きに突出する脚部３１と補助脚３２とが設けられている。脚部３１は、シンクなどの設置面に対して底体２７が所定の隙間をもって位置するように設置されている。
【００３４】
補助脚３２は、ヒンジ軸２３に対して内鍋１５と反対側であって、炊飯器本体１１の底面３０に設けられている。補助脚３２は円筒形であり、内部に、炊飯器本体１１を設置面に対して滑り止めするゴム材が埋め込まれている。なお、補助脚３２の配設場所は底体２７の奥側端部のみならず、ヒンジ軸２３の中心線Ｌよりも奥側（矢印Ａ側）に配設される限り、特に限定されない。この構成により、蓋体１２を開放した際の衝撃で炊飯器１０がバウンドしたり、転倒するのを防止できる。
【００３５】
本発明は前記実施形態に限定されず、種々の変形が可能である。
基板ホルダ３６に関しては、コードリール収容部４２を形成すると共に、回路基板７０を配設できる限り、その形状および炊飯器本体１１内での配置場所は特に限定されない。コードリール収容部４２は、基板ホルダ３６に形成される限り、その形状および形成される場所は特に限定されない。回路基板７０は、電源回路用基板および制御基板７２に限定されず、その他の種々の基板であってもよく、基板ホルダ３６への配設場所、配設方法は特に限定されない。
【符号の説明】
【００３６】
１０  炊飯器（調理器）
１１  炊飯器本体（調理器本体）
１２  蓋体
１４  電源コード
１５  内鍋（調理鍋）
２３  ヒンジ軸
３０  底面
３２  補助脚
３６  基板ホルダ
３７  基部
４１  第１側面部
４２  コードリール収容部
４３  外側端部
５１  第２側面部
５３  外側端部
６１  コードリール
７０(７０ａ，７０ｂ)  回路基板
７２(７２ａ，７２ｂ)  制御基板
【図１】
2014223139.tif 000003
【図２】
2014223139.tif 000004
【図３】
2014223139.tif 000005
【図４】
2014223139.tif 000006
【図５】
2014223139.tif 000007
【図６】
2014223139.tif 000008